(57)【要約】【課題】システム構成の小型化及び低コスト化を図るとともに、メモリ容量の削減を図り得る放送素材送出システムの予備送出装置を提供する。【解決手段】予備系ビデオサーバ１２において、日替わり時点や進行表の変更等に応じて、現用系ビデオサーバ１１のメモリ１１１から最適な放送素材データを取得して、メモリ１２１に記録するようにしている。また、現用系ビデオサーバ１１からの放送素材データの取得に先立ち、進行表をもとにメモリ１２１上の放送素材データの中で不要な放送素材データがあるか否かを判定し、不要な放送素材データを削除するようにしている。【選択図】図２
2008193321.tif 000002
【特許請求の範囲】
【請求項１】
現用系送出装置にて一定期間分の放送素材の送出予定日時を表す進行表に基づいて第１の記録媒体に記録された複数の放送素材データを送出し、予備系送出装置にて前記進行表に基づいて第２の記録媒体に記録された複数の放送素材データを送出し、現用系送出装置の出力と予備系送出装置の出力とを切替部にて選択的に導出する放送素材送出システムで使用される予備系送出装置において、
予め決められた条件に基づいて、前記現用系送出装置の第１の記録媒体から少なくとも一部の放送素材データを取得する取得手段と、
この取得手段で取得される放送素材データを前記第２の記録媒体に記録する記録手段とを具備したことを特徴とする放送素材送出システムの予備系送出装置。
【請求項２】
前記取得手段は、前記条件の判断に、日替わり時点、任意の予定された時刻、前記進行表が変更された時点、前記第１の記録媒体に記録されていない放送素材データが記録された時点、ユーザによる手動操作、前記第２の記録媒体に放送素材データが存在しないときの少なくとも１つを用いることを特徴とする請求項１記載の放送素材送出システムの予備系送出装置。
【請求項３】
前記取得手段は、前記第２の記録媒体に放送素材データが存在しない場合に、その旨をユーザに報知し、この報知に対しユーザが放送素材データの取得指示を入力した場合に、前記現用系送出装置の第１の記録媒体から少なくとも一部の放送素材データを取得することを特徴とする請求項２記載の放送素材送出システムの予備系送出装置。
【請求項４】
前記取得手段は、前記現用系送出装置の第１の記録媒体から放送素材データを取得する前に、前記進行表に基づいて前記第２の記録媒体上の不要な放送素材データを削除することを特徴とする請求項１記載の放送素材送出システムの予備系送出装置。
【請求項５】
前記第２の記録媒体は、前記放送素材データとは別に、救済用素材データを記録し、
前記現用系送出装置の第１の記録媒体に放送素材データが記録されていない場合に、前記第２の記録媒体から前記救済用素材データを読み出して送出する送出制御手段をさらに備えたことを特徴とする請求項１記載の放送素材送出システムの予備系送出装置。
【発明の詳細な説明】
【技術分野】
【０００１】
この発明は、現用・予備の二重化構造を有する放送素材送出システムに係り、特に予備系送出装置の改良に関する。
【背景技術】
【０００２】
周知のように、放送局内にあっては、例えばテレビジョン放送やラジオ放送の番組、ＣＭ（コマーシャル）、文字やデータによる番組等の放送素材データを記憶し、任意のタイミングで放送素材データを再生するビデオサーバが使用されている。
【０００３】
また、上記放送局では、機器の故障対策及び保守のために、現用・予備の二重化構成とすることが一般的となっており、このため現用系及び予備系それぞれに同じメモリ容量のビデオサーバが用いられることになる（例えば、特許文献１）。
【特許文献１】特開平９−２９４２４３号公報。
【発明の開示】
【発明が解決しようとする課題】
【０００４】
しかしながら、上記二重化構成では、現用系及び予備系それぞれのビデオサーバに例えばｎ（ｎは自然数）日分の放送素材データを予め蓄積しておかなければならず、さらにシステムの構成が大掛かりなものになるとともに、設備コストが大きくなる。
【０００５】
そこで、この発明の目的は、システム構成の小型化及び低コスト化を図るとともに、メモリ容量の削減を図り得る放送素材送出システムの予備送出装置を提供することにある。
【課題を解決するための手段】
【０００６】
上記目的を達成するために、この発明に係る放送素材送出システムの予備送出装置は、現用系送出装置にて一定期間分の放送素材の送出予定日時を表す進行表に基づいて第１の記録媒体に記録された複数の放送素材データを送出し、予備系送出装置にて進行表に基づいて第２の記録媒体に記録された複数の放送素材データを送出し、現用系送出装置の出力と予備系送出装置の出力とを切替部にて選択的に導出する放送素材送出システムで使用される予備系送出装置において、予め決められた条件に基づいて、現用系送出装置の第１の記録媒体から少なくとも一部の放送素材データを取得する取得手段と、この取得手段で取得される放送素材データを前記第２の記録媒体に記録する記録手段とを備えるようにしたものである。なお、取得手段は、条件の判断に、日替わり時点、任意の予定された時刻、進行表が変更された時点、第１の記録媒体に記録されていない放送素材データが記録された時点、ユーザによる手動操作、第２の記録媒体に放送素材データが存在しないときの少なくとも１つを用いることを特徴とする。
【０００７】
この構成によれば、日替わり時点や進行表の変更等に応じて、現用系送出装置の第１の記録媒体から最適な放送素材データを取得して、第２の記録媒体に記録するようにしている。従って、現用系送出装置の第１の記録媒体上の放送素材データ全てを第２の記録媒体に記憶しておく必要がなくなり、これにより第２の記録媒体の記憶容量を削減することができる。
【０００８】
取得手段は、第２の記録媒体に放送素材データが存在しない場合に、その旨をユーザに報知し、この報知に対しユーザが放送素材データの取得指示を入力した場合に、現用系送出装置の第１の記録媒体から少なくとも一部の放送素材データを取得することを特徴とする。
【０００９】
この構成によれば、第２の記録媒体に放送素材データが存在しない場合に、その旨がアラームによりユーザに知らされるので、ユーザは自身で放送素材データが必要か否かを判断して指示することができ、これにより真に必要な放送素材データのみを現用系送出装置から取得することが可能となる。
【００１０】
取得手段は、現用系送出装置の第１の記録媒体から放送素材データを取得する前に、進行表に基づいて第２の記録媒体上の不要な放送素材データを削除することを特徴とする。
【００１１】
この構成によれば、現用系送出装置からの放送素材データの取得に先立ち、進行表をもとに第２の記録媒体上の放送素材データの中で不要な放送素材データがあるか否かを判定し、不要な放送素材データを削除することが可能となる。このため、第２の記録媒体から不要な放送素材データを削除して第２の記録媒体の記憶容量の有効利用率を高めることができる。
【００１２】
第２の記録媒体は、放送素材データとは別に、救済用素材データを記録し、現用系送出装置の第１の記録媒体に放送素材データが記録されていない場合に、第２の記録媒体から救済用素材データを読み出して送出する送出制御手段をさらに備えたことを特徴とする。
【００１３】
この構成によれば、万一第１の記録媒体に放送素材データが記録されていない場合であっても、救済用素材データを送出することで、放送中止を避けることができる。
【発明の効果】
【００１４】
以上詳述したようにこの発明によれば、システム構成の小型化及び低コスト化を図るとともに、メモリ容量の削減を図り得る放送素材送出システムの予備送出装置を提供することができる。
【発明を実施するための最良の形態】
【００１５】
以下、この発明の実施形態について図面を参照して詳細に説明する。  
図１は、この発明に係る放送素材送出システムの構成を示すブロック図である。図１において、符号１１は現用系送出装置としての現用系ビデオサーバ、符号１２は予備系送出装置としての予備系ビデオサーバである。現用系ビデオサーバ１１はメモリ１１１を備え、予備系ビデオサーバ１２はメモリ１２１を備えている。
【００１６】
現用系ビデオサーバ１１は、少なくとも映像信号を含む放送素材データをメモリ１１１に記録し、制御部１３からの再生指示に応じてメモリ１１１から該当する放送素材データを読み出して送出する。また、予備系ビデオサーバ１２は、制御部１３からの再生指示に応じてメモリ１２１から該当する放送素材データを読み出して送出する。
【００１７】
これら現用系ビデオサーバ１１及び予備系ビデオサーバ１２それぞれの出力は、切替部１４により選択的に導出される。この切替部１４は、制御部１３により切替制御される。
【００１８】
一方、制御部１３は、上位装置１５から送られる進行表に基づいて、現用系ビデオサーバ１１、予備系ビデオサーバ１２及び切替部１４をそれぞれ制御する。
【００１９】
さらに、予備系ビデオサーバ１２は、通知処理部１２２と、通信制御部１２３とを備えている。このうち、通知処理部１２２は、メモリ１２１に放送素材データが１つも記憶されていない場合に、その旨のメッセージをアラームとして制御部１３に通知し、図示しないモニタにＯＳＤ(On Screen Display)により表示させる。なお、ＯＳＤの代わりにＬＥＤ等の点灯或いは点滅を使用してもよい。
【００２０】
通信制御部１２３は、ＬＡＮ（Local Area Network）等の通信回線を介して現用系ビデオサーバ１１との間で通信を行なうもので、現用系ビデオサーバ１１に対し放送素材データの取得要求を送出すると共に、この取得要求に応じて現用系ビデオサーバ１１が送信する放送素材データを受信し、メモリ１２１に記録する。
【００２１】
次に、上記構成における処理動作について説明する。  
ここでは、現用系ビデオサーバ１１より、これから送出する放送素材データを日数、容量の限定で一部の素材のみを予備系ビデオサーバ１２にコピーすることで、小規模の予備系ビデオサーバ１２を実現する。
【００２２】
このコピーにあたり、どの素材をどの日時に送出するかを表す進行表に従い、ｎ日先まで送出予定の素材を予備系ビデオサーバ１２のメモリ１２１の容量がまかなえる分だけコピーする。
【００２３】
図２は、現用系ビデオサーバ１１と予備系ビデオサーバ１２との間における放送素材データのコピー動作を説明するためのシーケンス図であり、図３は、コピー動作時の予備系ビデオサーバ１２の制御処理手順を示すフローチャートである。
【００２４】
まず、予備系ビデオサーバ１２は、コピーのタイミングの監視を行う（ステップＳＴ３ａ）。このコピーのタイミングとして、日替わり時点、任意の予定された時刻（８時、１２時、１６時など）、進行表が変更された時点、ファイリングさせていない素材がファイリングされた時点を用いる。なお、日替わり時点、任意の予定された時刻、進行表の変更は、制御部１３により通知される。
【００２５】
そして、コピーのタイミングとなると、予備系ビデオサーバ１２は制御部１３から通知される進行表に基づいてメモリ１２１上の不要な放送素材データ（素材Ｄ）を削除し（ステップＳＴ３ｂ）、現用系ビデオサーバ１１に対し放送素材データの取得要求を送信する（ステップＳＴ３ｃ）。
【００２６】
これに対し現用系ビデオサーバ１１は、制御部１３により通知される進行表に基づいてメモリ１１１から該当する放送素材データ（素材Ｂ、素材Ｃ）を読み出し、これら放送素材データを要求元の予備系ビデオサーバ１２へ向け送信する。
【００２７】
予備系ビデオサーバ１２は、現用系ビデオサーバ１１から送られた放送素材データ（素材Ｂ、素材Ｃ）を受信し（ステップＳＴ３ｄ）、この受信データをメモリ１２１に記録する（ステップＳＴ３ｅ）。なお、メモリ１２１の容量が足りない場合には、受信した放送素材データを記憶しない。
【００２８】
図４は、メモリ１２１に放送素材データが全く記憶されていない場合の予備系ビデオサーバ１２の制御処理手順を示すフローチャートである。
【００２９】
まず、予備系ビデオサーバ１２は、コピーのタイミングの監視を行う（ステップＳＴ４ａ）。
【００３０】
そして、コピーのタイミングとなると、予備系ビデオサーバ１２は制御部１３から通知される進行表に基づいてメモリ１２１上の不要な放送素材データを削除し（ステップＳＴ４ｂ）、メモリ１２１に放送素材データが存在するか否かの判定を行なう（ステップＳＴ４ｃ）。ここで、メモリ１２１に放送素材データが存在しない場合（Ｎｏ）、予備系ビデオサーバ１２はアラームを制御部１３に通知してＯＳＤ表示させる（ステップＳＴ４ｄ）。従って、この表示により運用者（ユーザ）はメモリ１２１に放送素材データが記憶されていない旨を知ることができる。
【００３１】
この状態でユーザが、現用系ビデオサーバ１１から放送素材データを取得するべく入力部（図示せず）において取得指示を入力したとする。そうすると予備系ビデオサーバ１２は、ステップＳＴ４ｅからステップＳＴ４ｆに移行してここで現用系ビデオサーバ１１に対し放送素材データの取得要求を送信する。
【００３２】
これに対し現用系ビデオサーバ１１は、制御部１３により通知される進行表に基づいてメモリ１１１から該当する放送素材データを読み出し、これら放送素材データを要求元の予備系ビデオサーバ１２へ向け送信する。
【００３３】
予備系ビデオサーバ１２は、現用系ビデオサーバ１１から送られた放送素材データを受信し（ステップＳＴ４ｇ）、この受信データをメモリ１２１に記録する（ステップＳＴ４ｈ）。
【００３４】
なお、上記ステップＳＴ４ｃにおいて、メモリ１２１に放送素材データが存在する場合には（Ｙｅｓ）、予備系ビデオサーバ１２は上記ステップＳＴ４ｆの処理に移行する。また、ユーザが放送素材データの取得を一時的に停止する場合のように、ユーザが取得指示を入力しなかった場合には、処理を終了する。
【００３５】
また、上記ステップＳＴ４ｅにおいて、手動での強制コピーであってもよい。
【００３６】
さらに、現用系ビデオサーバ１１のメモリ１１１にも放送素材データが存在しない場合など予備系ビデオサーバ１２に放送素材データをコピーできないときには、図５に示すように、送出する放送素材データとは別に救済用の素材データが予備系ビデオサーバ１２から送出される。
【００３７】
救済用の素材データは、本来送出する素材長を超えた場合には、繰り返し送出され、逆に短い場合には、本来送出する素材長分だけ送出する。
【００３８】
救済用の素材データは、予め予備系ビデオサーバ１２のメモリ１２１に現用系ビデオサーバ１１よりコピーされた素材で、進行表に存在しなくとも、削除対象外となる。
【００３９】
以上のように上記実施形態では、予備系ビデオサーバ１２において、日替わり時点や進行表の変更等に応じて、現用系ビデオサーバ１１のメモリ１１１から最適な放送素材データを取得して、メモリ１２１に記録するようにしている。
【００４０】
従って、現用系ビデオサーバ１１のメモリ１１１上の放送素材データ全てをメモリ１２１に記憶しておく必要がなくなり、これによりメモリ１２１の記憶容量を削減することができる。
【００４１】
また、上記実施形態では、メモリ１２１に放送素材データが存在しない場合に、その旨をアラームによりユーザに知らせるようにしている。このため、ユーザは放送素材データが存在しない旨を知ることができるとともに、現時点で取得する必要がない場合には放送素材データを受信せずに済む。
【００４２】
さらに、上記実施形態では、現用系ビデオサーバ１１からの放送素材データの取得に先立ち、進行表をもとにメモリ１２１上の放送素材データの中で不要な放送素材データがあるか否かを判定し、不要な放送素材データを削除するようにしている。このため、メモリ１２１から不要な放送素材データを削除してメモリ１２１の記憶容量の有効利用率を高めることができる。
【００４３】
その他、システムの構成、予備系ビデオサーバの機能構成、現用系ビデオサーバから予備系ビデオサーバへ放送素材データをコピーするタイミング、現用系ビデオサーバから予備系ビデオサーバへ放送素材データをコピーする動作手順とその内容等についても、この発明の要旨を逸脱しない範囲で種々変形して実施できる。
【図面の簡単な説明】
【００４４】
【図１】この発明の一実施形態となる放送素材送出システムの構成を示すブロック図。
【図２】同実施形態において、現用系ビデオサーバと予備系ビデオサーバとの間における放送素材データのコピー動作を説明するためのシーケンス図。
【図３】同実施形態において、コピー動作時の予備系ビデオサーバの制御処理手順を示すフローチャート。
【図４】同実施形態において、予備系ビデオサーバのメモリに放送素材データが全く記憶されていない場合の予備系ビデオサーバの制御処理手順を示すフローチャート。
【図５】同実施形態において、救済用の素材データを送出する動作を説明するために示すシーケンス図。
【符号の説明】
【００４５】
１１…現用系ビデオサーバ、１２…予備系ビデオサーバ、１３…制御部、１４…切替部、１５…上位装置、１１１，１２１…メモリ、１２２…通知処理部、１２３…通信制御部。
【図１】
2008193321.tif 000003
【図２】
2008193321.tif 000004
【図３】
2008193321.tif 000005
【図４】
2008193321.tif 000006
【図５】
2008193321.tif 000007